(57)【要約】【課題】電池ケースにおける漏れの発生の有無を確認することによって、電池ケース内で発生したガスが電池ケースの外部に漏出するのを確実に防ぐ。【解決手段】電池システム１０Ａは、電池２１と、前記電池２１を収容し、前記電池２１を設置する室内環境に対して異なる気圧で気密に封止する電池ケース２２と、前記電池ケース２２内の気圧を確認するために前記電池ケース２２の内部にアクセス可能なアクセス部４０と、前記電池ケース２２と該電池ケース２２が設置された空間の外部Ｒ３とを連通させて前記電池ケース２２内のガスを前記外部Ｒ３へ排気可能とする排気部３０と、前記排気部３０に設けられ、前記電池ケース２２の内部Ｒ２と前記外部Ｒ３との圧力差が所定以上となるときに開放する第一安全弁５０と、を備える。【選択図】図１
2015099675.tif 000002
【特許請求の範囲】
【請求項１】
電池と、
前記電池を収容し、前記電池を設置する室内環境に対して異なる気圧で気密に封止する電池ケースと、
前記電池ケース内の気圧を確認するために前記電池ケースの内部にアクセス可能なアクセス部と、
前記電池ケースと該電池ケースが設置された空間の外部とを連通させて前記電池ケース内のガスを前記外部へ排気可能とする排気部と、
前記排気部に設けられ、前記電池ケースの内部と前記外部との圧力差が所定以上となるときに開放する第一安全弁と、
を備えることを特徴とする電池システム。
【請求項２】
前記アクセス部に、前記電池ケースの内部を加圧または減圧するためのバルブが設けられていることを特徴とする請求項１に記載の電池システム。
【請求項３】
前記アクセス部に、前記電池ケースの内部の圧力を検出する圧力検出部が設けられていることを特徴とする請求項１または２に記載の電池システム。
【請求項４】
前記圧力検出部で検出される圧力の変動をモニタリングするモニター部をさらに備えることを特徴とする請求項３に記載の電池システム。
【請求項５】
前記排気部において、前記第一安全弁よりも前記電池ケース側に、その両側の圧力差が所定以上となるときに開放する第二安全弁が備えられていることを特徴とする請求項１から４のいずれか一項に記載の電池システム。
【請求項６】
前記排気部において、前記第一安全弁と前記第二安全弁との間の空間の圧力を検出する第二圧力検出部を備えていることを特徴とする請求項５に記載の電池システム。
【請求項７】
前記排気部の排気口近傍に、該排気口からの排気方向を拡散させる拡散部材が設けられていることを特徴とする請求項１から６のいずれか一項に記載の電池システム。
【発明の詳細な説明】
【技術分野】
【０００１】
本発明は、リチウムイオン電池等の二次電池を用いた電池システムに関する。
【背景技術】
【０００２】
自動車や航空機、宇宙ロケット、衛星等において、駆動用、あるいは搭載機器用の電源として、二次電池が搭載されている。近年、大容量かつ高効率な二次電池として、リチウムイオン二次電池や、ニッケル水素二次電池が開発されている。このような二次電池は、電池容器の内部に、正極板と負極板とがセパレータを介して交互に配列され、電解液とともに封入されている。
【０００３】
二次電池において、過充電や過放電により電池容器内でガスが発生することがある。そこで、特許文献１には、ガスの発生により電池容器の内圧が高まったときに、ガスを電池容器外に放出するリリーフ弁を備えた構成が開示されている。
また、特許文献２には、ガスの発生により電池容器の内圧が高まったときに、ガスを電池容器外に放出するリリーフ弁を備えるとともに、放出したガスを吸着するキャニスタを備えた構成が開示されている。
【先行技術文献】
【特許文献】
【０００４】
【特許文献１】特開２０１０−４５００１号公報
【特許文献２】特開２００８−１６３４６号公報
【発明の概要】
【発明が解決しようとする課題】
【０００５】
しかしながら、上記したような特許文献１，２に記載の構成において、電池内部の異常によりガスが発生し、弁が開放した場合、ガスが電池容器から外部に漏出してしまう。
二次電池が室内に設置されている場合や、航空宇宙分野で用いられる場合、より高い信頼性が求められ、当然、ガスの電池容器外への漏出は好ましくない。
そこでなされた本発明の目的は、電池容器内で発生したガスを適した場所に導出することのできる電池システムを提供することである。
【課題を解決するための手段】
【０００６】
本発明は、上記課題を解決するため、以下の手段を採用する。
すなわち、本発明の一態様に係る電池システムは、前記電池を収容し、前記電池を設置する室内環境に対して異なる気圧で気密に封止する電池ケースと、前記電池ケース内の気圧を確認するために前記電池ケースの内部にアクセス可能なアクセス部と、前記電池ケースと該電池ケースが設置された空間の外部とを連通させて前記電池ケース内のガスを前記外部へ排気可能とする排気部と、前記排気部に設けられ、前記電池ケースの内部と前記外部との圧力差が所定以上となるときに開放する第一安全弁と、を備えることを特徴とする。
【０００７】
このような構成により、アクセス部から電池ケースの内部にアクセスして、電池ケース内の気圧を確認することで、電池ケースにおける気密性、つまり漏れの発生の有無を確認することができる。
そして、電池ケース内の気圧が、外部との圧力差が所定以上となるまで高まったときには、第一安全弁を開放することにより、排気部を通して電池ケース内の気体を外部に排出することができる。
【０００８】
また、前記アクセス部に、前記電池ケースの内部を加圧または減圧するためのバルブが設けられているようにしてもよい。
このような構成により、電池ケースの内部を加圧または減圧すると、電池ケースに漏れがある場合、電池ケースの内部の圧力の上昇または下降の度合いが低くなる。これにより、電池ケースにおける漏れの発生の有無を確認することができる。
【０００９】
また、前記アクセス部に、前記電池ケースの内部の圧力を検出する圧力検出部が設けられているようにしてもよい。
このような構成により、圧力検出部で電池ケースの内部の圧力を検出することで、電池ケースにおける漏れの発生の有無を確認することができる。
【００１０】
また、前記圧力検出部で検出される圧力の変動をモニタリングするモニター部をさらに備えるようにしてもよい。
このような構成により、電池ケースにおける漏れの発生の有無をリアルタイムで逐次確認することができる。
【００１１】
また、前記排気部において、前記第一安全弁よりも前記電池ケース側に、その両側の圧力差が所定以上となるときに開放する第二安全弁が備えられているようにしてもよい。
このような構成により、第一安全弁が開放されたり、その機能が損なわれた場合、第一安全弁よりも電池ケース側に設けられた第二安全弁により、電池ケースからガスが排気部に漏出するのを防ぐことができる。
【００１２】
また、前記排気部において、前記第一安全弁と前記第二安全弁との間の空間の圧力を検出する第二圧力検出部を備えているようにしてもよい。
このような構成により、電池ケース内に加えて、排気部においても、漏れの発生の有無を確認することができる。
【００１３】
さらに、前記排気部の排気口近傍に、該排気口からの排気方向を拡散させる拡散部材が設けられているようにしてもよい。
これにより、排気口からガスが排気される場合、その排気方向を拡散させることができる。
このような拡散部材は、特に宇宙ロケットや衛星等、宇宙空間で用いる機器に備えるのが好ましい。これにより、電池ケースからガスを排気することによって、機器の姿勢が乱されるのを防ぐことができる。
【発明の効果】
【００１４】
本発明によれば、電池ケースにおける漏れの発生の有無を確認することによって、電池ケース内で発生したガスを適した場所に導出することができる。
【図面の簡単な説明】
【００１５】
【図１】本発明の第１の実施形態における電池システムの構成を示す平断面図である。
【図２】第１の実施形態の変形例における電池システムの構成を示す平断面図である。
【図３】第１の実施形態の他の変形例における電池システムの構成を示す平断面図である。
【図４】第２の実施形態にかかる電池システムの構成を示す平断面図である。
【図５】第２の実施形態の変形例における電池システムの構成を示す平断面図である。
【図６】第２の実施形態の他の変形例における電池システムの構成を示す平断面図である。
【図７】第３の実施形態にかかる電池システムの構成を示す平断面図である。
【図８】本発明の電池システムの他の例を示す図であり、電池システム内を減圧する場合の構成を示す平断面図である。
【発明を実施するための形態】
【００１６】
以下、添付図面を参照して、本発明による電池システムを実施するための形態を説明する。しかし、本発明はこれらの実施形態のみに限定されるものではない。
【００１７】
（第１の実施形態）
図１は、第１の実施形態における電池システムの構成を示す平断面図である。
図１に示すように、電池システム１０Ａは、複数の電池セル（電池）２１を備えた電池ユニット２０と、排気管（排気部）３０と、を備えている。
【００１８】
電池ユニット２０は、複数の電池セル２１と、これら複数の電池セル２１を収容し、電池ユニット２０を設置する室内環境に対して異なる気圧で気密に封止する電池ケース２２と、を備えている。この電池ユニット２０は、例えば宇宙ロケット、衛星、航空機、潜水艇、船舶、自動車等の機体、船体、車体等を形成する外壁１００の内部の室内空間Ｒ１に設置されている。
【００１９】
各電池セル２１は、例えばリチウムイオン二次電池である。この電池セル２１は、セル容器２１ｃ内に図示しない複数枚の正極板と負極板が絶縁シート（セパレータ）を介して交互に配列され、電解液とともに密封されている。セル容器２１ｃには、複数枚の正極板に電気的に接続された正電極２３と、複数枚の負極板に電気的に接続された負電極２４とが突出形成されている。
そして、各電池セル２１の正電極２３、負電極２４は、他の電池セルの正電極２３、負電極２４と、導体からなるバスバー２５により、電気的に直列または並列接続されている。
【００２０】
電池ケース２２には、一対の開口部２２ｈ，２２ｈが形成され、これら開口部２２ｈ，２２ｈに、正極端子２６，負極端子２７が、それぞれ絶縁封止材２８を介して設けられている。これら正極端子２６，負極端子２７には、直列接続された複数の電池セル２１の正電極２３、負電極２４が、それぞれ導体からなる配線２９により電気的に接続されている。
【００２１】
このような電池システム１０Ａにおいて、電池ユニット２０には、電池ケース２２内の気圧を確認するために電池ケース２２の内部にアクセス可能なアクセス孔（アクセス部）４０が貫通形成されている。
このアクセス孔４０には、加圧バルブ（バルブ）４１が装着されている。加圧バルブ４１は、いわゆる逆止弁、ワンウェイバルブであり、電池ケース２２の外部から内部に向けての流体の流れのみを許容し、電池ケース２２の内部から外部に向けての流体の流れを阻止する。この加圧バルブ４１に、不図示のコンプレッサやガスボンベ等の加圧ガス供給源を接続することで、電池ケース２２の内部を加圧することができるようになっている。
【００２２】
電池ケース２２には、開口部２２ｇが形成され、この開口部２２ｇに、排気管３０の一端が接続されている。排気管３０の他端は、外壁１００に形成された開口部１００ｇに接続され、外壁１００の外部Ｒ３に向けて開口している。これにより、電池ケース２２の内部空間（内部）Ｒ２と外壁１００の外部Ｒ３とが、排気管３０を介して連通可能とされ、電池ケース２２内のガスが外部Ｒ３へ排気可能とされている。
【００２３】
排気管３０には、電池ケース２２の内部空間Ｒ２と外部Ｒ３との圧力差が所定以上となるときに開放する排気部安全弁（第一安全弁）５０が設けられている。ここで、排気部安全弁５０は、圧力差が所定以上となるときに開放するのであればいかなる形式のものであってもよく、所定以上の圧力差となったときに開放し、圧力差が所定未満となったときに閉塞する開閉式の弁体を備えるものでもよいし、所定以上の圧力差となったときにダイヤフラム状の弁体が破れて開放するものであってもよい。
【００２４】
このような電池システム１０Ａにおいては、電池システム１０Ａを外壁１００内の所定位置に設置する際に、加圧バルブ４１に不図示のコンプレッサやガスボンベ等の加圧ガス供給源を接続する。そして、加圧ガス供給源から、空気（乾燥空気：ドライエア）、窒素、ヘリウム等の気体を送り込み、電池ケース２２の内部空間Ｒ２を加圧する。このとき、電池ケース２２内の圧力が、電池ケース２２の周囲の雰囲気圧力（室内空間Ｒ１の圧力）よりも、例えば０．１ＭＰａ程度高くなるようにするのが好ましい。このとき、電池ケース２２内の圧力は、加圧バルブ４１に接続された加圧ガス供給源に装備されている圧力計や、加圧バルブ４１と加圧ガス供給源との間に別途介在させた圧力計により検出することができる。
このようにして、加圧バルブ４１から電池ケース２２の内部空間Ｒ２を加圧する際、電池ケース２２や排気管３０にクラックや溶接ボイド等のリーク部位が存在していると、圧力上昇に時間がかかったり、圧力が目標圧力まで上昇せず、リークが生じていると認識することができる。
【００２５】
電池システム１０Ａの設置後、加圧された電池ケース２２は、電池ケース２２の内部空間Ｒ２の圧力を、電池ケース２２の周囲の雰囲気圧力（室内空間Ｒ１の圧力）に対して異なる気圧で気密に封止する。
何らかの原因で電池ケース２２の内部空間Ｒ２の圧力が上昇し、電池ケース２２の周囲の室内空間Ｒ１の雰囲気圧力に対し、所定以上の圧力差となったときには、排気部安全弁５０が開放される。これにより、電池ケース２２内のガスが排気管３０を通して外壁１００の外部に排出される。
【００２６】
上述したような構成によれば、加圧バルブ４１から電池ケース２２の内部空間Ｒ２を加圧すると、電池ケース２２や排気管３０に漏れがある場合、電池ケース２２の内部空間Ｒ２の圧力の上昇の度合いが低くなる。このようにして、アクセス孔４０から電池ケース２２の内部空間Ｒ２にアクセスして、電池ケース２２内の気圧を確認することができる。これにより、電池ケース２２における気密性、つまり漏れの発生の有無を確認することができる。したがって、電池ケース２２の内部空間Ｒ２でガスが発生した場合、電池ケース２２の外部の室内空間Ｒ１に漏出するのを確実に防ぐことができる。また、電池ケース２２の周囲の室内空間Ｒ１から電池ケース２２内への、腐食性ガスや水分等の侵入が防止でき、電池システム１０Ａを安定に稼働させることができる。
また、ガスが発生し、電池ケース２２内と、電池ケース２２の外部の室内空間Ｒ１との圧力差が所定以上となるまで高まったときには、排気部安全弁５０が開放し、排気管３０を通して電池ケース２２内のガスを外壁１００の外部に排出することができる。これにより、発生したガスが、室内空間Ｒ１に侵入するのを確実に防ぐことができる。
【００２７】
（第１の実施形態の変形例）
次に、上記第１の実施形態の変形例を示す。
図２は、第１の実施形態の変形例における電池システムの構成を示す平断面図である。
図２に示すように、電池システム１０Ｂは、図１に示した上記第１の実施形態の電池システム１０Ａと同様の構成に加え、電池ケース２２の内部空間Ｒ２の圧力を検出する圧力検出部として、圧力計（圧力検出部）６１を備えている。
圧力計６１は、排気管３０に貫通形成された、電池ケース２２内の気圧を確認するために電池ケース２２の内部にアクセス可能なアクセス孔（アクセス部）６０に設けられている。
【００２８】
このような構成により、アクセス孔６０に設けられた圧力計６１で電池ケース２２の内部空間Ｒ２の圧力を計測することで、電池システム１０Ｂの稼働中においても、電池ケース２２における漏れの発生の有無を確認することができる。
【００２９】
なお、図２の例では、圧力計６１を排気管３０に備えているが、圧力計６１は、電池ケース２２に備えてもよい。
【００３０】
図３は、第１の実施形態の他の変形例における電池システムの構成を示す平断面図である。
図３に示すように、電池システム１０Ｃは、図１に示した上記第１の実施形態の電池システム１０Ａと同様の構成に加え、電池ケース２２の内部空間Ｒ２の圧力を検出する圧力検出部としての圧力センサ（圧力検出部）６２と、圧力センサ６２から出力される検出信号を受け取るコントローラ（モニター部）６３と、を備えている。
【００３１】
圧力センサ６２は、排気管３０に貫通形成された、電池ケース２２内の気圧を確認するために電池ケース２２の内部にアクセス可能なアクセス孔６０に設けられている。圧力センサ６２は、検出した圧力を電圧変換した信号を、電圧出力、電流出力により、検出信号として出力する。また、圧力センサ６２は、検出した圧力が、予め定められた圧力の上限、下限に到達したことを示す接点出力等を伝達することもできる。
【００３２】
コントローラ６３は、電池システム１０Ｃだけでなく、他の機器を含んで制御する上位のコントローラである。このコントローラ６３は、圧力センサ６２から出力された検出信号を受け取り、電池ケース２２の内部空間Ｒ２の圧力の変動をモニタリングする。そして、内部空間Ｒ２の圧力が、予め定めた規定の範囲から外れた場合等に、警報等を出力する。コントローラ６３では、内部空間Ｒ２の圧力が、規定の範囲の下限に到達した場合、電池ケース２２あるいは排気管３０で漏れが生じたことを示す警報等を外部に出力する。また、コントローラ６３では、内部空間Ｒ２の圧力が、規定の範囲の上限に到達した場合、電池ケース２２内でガスが発生したことを示す警報等を外部に出力する。この場合、発生したガスの圧力が所定以上に高まれば、排気部安全弁５０が開放され、ガスは外部Ｒ３に排出される。
【００３３】
このような構成により、電池ケース２２における漏れの発生の有無、ガスの発生の有無をリアルタイムで逐次確認することができる。
【００３４】
（第２の実施形態）
次に、本発明にかかる電池システムの第２の実施形態について説明する。なお、以下に説明する第２の実施形態においては、上記第１の実施形態と共通する構成については図中に同符号を付してその説明を省略する。
図４は、第２の実施形態にかかる電池システムの構成を示す平断面図である。
図４に示すように、電池システム１０Ｄは、複数の電池セル２１を備えた電池ユニット２０と、排気管３０と、を備えている。
【００３５】
このような電池システム１０Ｄにおいて、電池ユニット２０には、排気管３０内の気圧を確認するために排気管３０の内部にアクセス可能なアクセス孔（アクセス部）７０が貫通形成されている。
このアクセス孔７０には、加圧バルブ（バルブ）７１が装着されている。加圧バルブ７１は、いわゆる逆止弁、ワンウェイバルブであり、排気管３０の外部から内部に向けての流体の流れのみを許容し、排気管３０の内部から外部に向けての流体の流れを阻止する。
【００３６】
排気管３０には、排気部安全弁５０と、排気部安全弁５０よりも電池ケース２２側に設けられたケース側安全弁（第二安全弁）５５と、を備えている。ここで、排気部安全弁５０は、排気管３０において電池ケース２２側の圧力と外部との圧力差が所定以上となると開放する。ケース側安全弁５５は、電池ケース２２の内部の圧力と、排気管３０内の圧力との差が所定以上となると開放する。
【００３７】
このような電池システム１０Ｄにおいては、電池システム１０Ｄを外壁１００内の所定位置に設置する際に、加圧バルブ４１，７１に、それぞれ不図示のコンプレッサやガスボンベ等の加圧ガス供給源を接続する。そして、加圧ガス供給源から、空気（乾燥空気：ドライエア）、窒素、ヘリウム等の気体を送り込み、電池ケース２２の内部空間Ｒ２と、排気管３０の排気部安全弁５０とケース側安全弁５５との間の空間Ｒ４とをそれぞれ加圧する。内部空間Ｒ２、空間Ｒ４の圧力は、加圧バルブ４１，７１に接続された加圧ガス供給源に装備されている圧力計や、加圧バルブ４１，７１と加圧ガス供給源との間に別途介在させた圧力計により検出することができる。
このようにして、電池ケース２２の内部空間Ｒ２、排気管３０内の空間Ｒ４を加圧する際、電池ケース２２や排気管３０にクラックや溶接ボイド等のリーク部位が存在していると、圧力上昇に時間がかかったり、圧力が目標圧力まで上昇せず、リークが生じていると認識することができる。
【００３８】
電池システム１０Ｄの設置後、何らかの原因で電池ケース２２の内部空間Ｒ２の圧力が上昇し、電池ケース２２の周囲の雰囲気圧力に対し、所定以上の圧力差となったときには、ケース側安全弁５５および排気部安全弁５０が開放される。これにより、電池ケース２２内のガスが排気管３０を通して外壁１００の外部に排出される。
【００３９】
上述したような構成によれば、上記第１の実施形態と同様に、加圧バルブ４１，７１から加圧する際に、電池ケース２２、排気管３０における気密性、つまり漏れの発生の有無を確認することができる。したがって、電池ケース２２の内部空間Ｒ２でガスが発生した場合、電池ケース２２の外部の室内空間Ｒ１にガスが漏出するのを確実に防ぐことができる。また、電池ケース２２の周囲の室内空間Ｒ１から電池ケース２２内に腐食性ガスや水分等の侵入が防止でき、電池システム１０Ａを安定に稼働させることができる。
また、ガスが発生し、電池ケース２２内の気圧が、外部との圧力差が所定以上となるまで高まったときには、ケース側安全弁５５および排気部安全弁５０が開放し、排気管３０を通して電池ケース２２内のガスを外壁１００の外部に排出することができる。
【００４０】
さらに、電池システム１０Ｄは、排気部安全弁５０に加えてケース側安全弁５５が備えられた二重構造とされている。これにより、外壁１００の外部に露出する排気管３０の他端部側の排気部安全弁５０が、他の物体と衝突する等して破損しても、ケース側安全弁５５が残る。したがって、電池ユニット２０内が外部Ｒ３と直接連通するのを防ぐことができ、電池システム１０Ｄとしての機能を維持し、システムの確実性、安全性を高めることができる。
【００４１】
加えて、このような電池システム１０Ｄにおいては、電池ユニット２０の組立時に、電池ケース２２にケース側安全弁５５を備えておけば、電池ユニット２０の組立段階で電池ケース２２内を密封することができる。そして、電池システム１０Ｄの設置時には、電池ユニット２０に、排気部安全弁５０を備えた排気管３０を接続する。
このような構成とすることで、運搬時や設置時に、電池ユニット２０内に外部から異物等が入り込むのを防ぐことができる。
【００４２】
（第２の実施形態の変形例）
次に、上記第２の実施形態の変形例を示す。
図５は、第２の実施形態の変形例における電池システムの構成を示す平断面図である。
図５に示すように、電池システム１０Ｅは、図４に示した上記第２の実施形態の電池システム１０Ｄと同様の構成に加え、排気管３０内の空間Ｒ４の圧力を検出する圧力検出部として、圧力計（圧力検出部）８１を備えている。
圧力計８１は、排気管３０に貫通形成された、排気管３０内の気圧を確認するために排気管３０の内部にアクセス可能なアクセス孔（アクセス部）８０に設けられている。
【００４３】
このような構成により、アクセス孔８０に設けられた圧力計８１で排気管３０内の空間Ｒ４の圧力を計測することで、電池システム１０の稼働中においても、排気管３０における漏れの発生の有無を確認することができる。
【００４４】
図６は、第２の実施形態の他の変形例における電池システムの構成を示す平断面図である。
図６に示すように、電池システム１０Ｆは、図４に示した上記第１の実施形態の電池システム１０Ａと同様の構成に加え、排気管３０内の空間Ｒ４の圧力を検出する圧力センサ（第二圧力検出部）８２と、圧力センサ８２から出力される検出信号を受け取るコントローラ６３と、を備えている。
【００４５】
圧力センサ６２は、排気管３０に貫通形成され、排気管３０内の気圧を確認するために排気管３０の内部にアクセス可能なアクセス孔８０に設けられている。
【００４６】
このような構成により、排気管３０における漏れの発生の有無、ガスの発生の有無をリアルタイムで逐次確認することができる。
【００４７】
なお、上記図５、図６に示した構成においては、設置時に、加圧バルブ４１，７１から、電池ケース２２の内部空間Ｒ２と、排気管３０の排気部安全弁５０とケース側安全弁５５との間の空間Ｒ４とをそれぞれ加圧する構成に限るものではない。例えば、設置時には、加圧バルブ７１から、排気管３０の排気部安全弁５０とケース側安全弁５５との間の空間Ｒ４のみを加圧しておき、電池ケース２２の内部空間Ｒ２については常圧としておいてもよい。
これにより、電池ケース２２内の電池セル２１に、常時圧力が作用するのを回避することができる。
そして、このような構成においては、圧力計８１や圧力センサ８２で検出する圧力の変動によって、排気部安全弁５０が破損したことが認識できた場合に、加圧バルブ４１から電池ケース２２の内部空間Ｒ２を加圧するようにしてもよい。このような構成とするには、電池システム１０Ｄの稼働中に内部空間Ｒ２を加圧できるよう、加圧バルブ４１に、加圧ガス供給源を接続しておく必要がある。
【００４８】
また、上記第２の実施形態においては、電池ケース２２に加圧バルブ４１を備える構成としたが、加圧バルブ４１を省略した構成としてもよい。
【００４９】
（第３の実施形態）
次に、本発明にかかる電池システムの第２の実施形態について説明する。なお、以下に説明する第３の実施形態においては、上記各実施形態と共通する構成については図中に同符号を付してその説明を省略する。
図７は、第３の実施形態にかかる電池システムの構成を示す平断面図である。
図７に示すように、電池システム１０Ｇは、例えば、図５に示した上記第２の実施形態の変形例に示した電池システム１０Ｅと同様の構成に加えて、排気管３０の他端側の排気口３０ｅ近傍に、排気口３０ｅからの排気方向を拡散させる板状の拡散部材９０が設けられているようにしてもよい。
【００５０】
これにより、排気口３０ｅからガスが排気される場合、その排気方向を拡散させることができる。特に宇宙ロケットや衛星等、宇宙空間で用いる機器においては、排気口３０ｅからの排気がスラスト力となり、機器の姿勢が乱される可能性がある。そこで、拡散部材９０を備えることで、機器の姿勢が乱されるのを防ぐことができる。
ここで、拡散部材９０については、スラスト力を効果的に低減できるのであれば、いかなる構成としてもよい。
【００５１】
なお、上記第３の実施形態で示した拡散部材９０は、図５に示した電池システム１０Ｄに限らず、排気管３０を備えたいかなる構成の電池システムにも同様に適用することが可能である。
【００５２】
（その他の実施形態）
なお、本発明の電池システムは、図面を参照して説明した上述の各実施形態に限定されるものではなく、その技術的範囲において様々な変形例が考えられる。
例えば、上記各実施形態では、電池ユニット２０、排気管３０内を加圧するようにしたが、室内空間Ｒ１の圧力よりも電池ユニット２０、排気管３０内を減圧するようにしてもよい。その場合、加圧バルブ４１、７１に代えて、例えば図８に示すように、減圧バルブ（バルブ）９１を備える必要がある。減圧バルブ９１は、電池ユニット２０内から外部への流体の流れのみを許容する逆止弁である。
減圧バルブ９１を備える場合、電池ケース２２内でガスが発生して圧力が上昇したときに、ガスが減圧バルブ９１から室内空間Ｒ１に流出しないよう、開閉弁９２を備える。
【００５３】
また、上記各実施形態で示した構成において、排気管３０に、排気するガスを吸着するキャニスタを備える構成としたり、排気したガスを貯蔵するチャンバ等を備える構成とすることもできる。
【００５４】
また、上記したような電池システム１０Ａ〜１０Ｇは、宇宙ロケットや衛星に限らず、自動車、潜水艇、船舶等の他、各種設備や装置にも適用可能である。
これ以外にも、本発明の主旨を逸脱しない限り、上記実施の形態で挙げた構成を取捨選択したり、他の構成に適宜変更したりすることが可能である。
【符号の説明】
【００５５】
１０Ａ〜１０Ｇ  電池システム
２０  電池ユニット
２１  電池セル（電池）
２２  電池ケース
３０  排気管（排気部）
３０ｅ  排気口
４０，６０，７０，８０  アクセス孔（アクセス部）
４１，７１  加圧バルブ（バルブ）
５０  排気部安全弁（第一安全弁）
５５  ケース側安全弁（第二安全弁）
６１，８１  圧力計（圧力検出部）
６２  圧力センサ（圧力検出部）
６３  コントローラ（モニター部）
８２  圧力センサ（第二圧力検出部）
９０  拡散部材
９１  減圧バルブ（バルブ）
９２  開閉弁
１００  外壁
１００ｇ  開口部
Ｒ１  室内空間
Ｒ２  内部空間（内部）
Ｒ３  外部
Ｒ４  空間
【図１】
2015099675.tif 000003
【図２】
2015099675.tif 000004
【図３】
2015099675.tif 000005
【図４】
2015099675.tif 000006
【図５】
2015099675.tif 000007
【図６】
2015099675.tif 000008
【図７】
2015099675.tif 000009
【図８】
2015099675.tif 000010